(57)【要約】【課題】  アクセスポイントの暗号化方式より暗号強度の強い暗号化方式を使用可能な無線端末装置の場合、暗号強度の強い暗号化方式を用いたネットワークを構築する。【解決手段】  無線端末装置（カメラ）２０２がアクセスポイント２０１と第１のネットワークで通信中に、アクセスポイント２０１の暗号化方式より暗号強度が強い暗号化方式を使用可能な無線端末装置が存在するか否かを判定し、暗号強度が強い暗号化方式を使用可能な相手先無線端末装置（プリンタ）２０３が存在すると判定した場合、暗号強度が強い暗号化方式を使用して相手先無線端末装置２０３とアクセスポイント２０１を介さない第２のネットワークを構築し、構築した第２のネットワークによって相手先無線端末装置２０３とデータ通信を行う。【選択図】      図２
2006285090.tif 000002
【特許請求の範囲】
【請求項１】
ネットワーク構築方法であって、
アクセスポイントと第１のネットワークを構築している際に、前記アクセスポイントの暗号化方式より暗号強度が強い暗号化方式を使用可能な通信装置が存在するか否かを判定する判定工程と、
前記暗号強度が強い暗号化方式を使用可能な相手先通信装置が存在すると判定した場合、前記暗号強度が強い暗号化方式を使用して前記相手先通信装置と前記アクセスポイントを介さない第２のネットワークを構築する工程と、
前記構築した第２のネットワークによって前記相手先通信装置とデータ通信を行う工程とを有することを特徴とするネットワーク構築方法。
【請求項２】
前記第２のネットワークを構築する際に、前記第１のネットワークにおける設定条件を保持しておき、前記第２のネットワークによるデータ通信を終了した場合、前記保持しておいた設定条件により前記第１のネットワークを構築することを特徴とする請求項１記載のネットワーク構築方法。
【請求項３】
前記判定工程では、予め取得しておいた複数の通信装置がサポートする暗号化方式に関する情報に基づいて、前記アクセスポイントの暗号化方式より暗号強度が強い暗号化方式を使用可能な相手先通信装置が存在するか否かを判定することを特徴とする請求項１又は２記載のネットワーク構築方法。
【請求項４】
前記第２のネットワークの構築は、前記通信装置が前記相手先通信装置の所定のポートに接続し、前記相手先通信装置に前記第２のネットワークへ参加するための設定を行わせ、前記第２のネットワークを構築することを特徴とする請求項１乃至３の何れか一項記載のネットワーク構築方法。
【請求項５】
前記第１及び第２のネットワークは、IEEE 802.11x準拠の無線ＬＡＮにおけるインフラストラクチャモード及びアドホックモードのネットワークであることを特徴とする請求項１乃至４の何れか一項記載のネットワーク構築方法。
【請求項６】
前記通信装置は無線ダイレクトプリント対応情報蓄積端末装置であり、前記相手先通信装置は無線ダイレクトプリント対応情報出力装置であることを特徴とする請求項１乃至５の何れか一項記載のネットワーク構築方法。
【請求項７】
通信装置であって、
中継装置と第１のネットワークを構築している際に、前記中継装置の暗号化方式より暗号強度が強い暗号化方式を使用可能な他の通信装置が存在するか否かを判定する判定手段と、
前記暗号強度が強い暗号化方式を使用可能な相手先通信装置が存在すると判定した場合、前記暗号強度が強い暗号化方式を使用して前記相手先通信装置と前記中継装置を介さない第２のネットワークを構築するネットワーク構築手段と、
前記構築した第２のネットワークによって前記相手先通信装置とデータ通信を行うデータ通信手段とを有することを特徴とする通信装置。
【請求項８】
請求項１乃至６の何れか一項記載のネットワーク構築方法をコンピュータに実行させるためのプログラム。
【請求項９】
請求項８記載のプログラムを記録したコンピュータ読み取り可能な記録媒体。
【請求項１０】
第１のネットワークに参加している際に、相手装置が、前記第１のネットワークにおいて使用している暗号化方式と異なる暗号化方式による通信が可能か否かを判定する判定工程と、
前記判定工程による判定に応じて、前記相手装置と共に第２のネットワークを構築する構築工程とを有することを特徴とするネットワーク構築方法。
【請求項１１】
前記第１のネットワークは、通信制御装置が構築したネットワークであることを特徴とする請求項１０記載のネットワーク構築方法。
【請求項１２】
前記第１のネットワークは、通信制御装置を経由して通信するネットワークであり、
前記第２のネットワークは、前記通信制御装置を経由せずに、通信装置間で直接通信するネットワークであることを特徴とする請求項１０記載のネットワーク構築方法。
【請求項１３】
前記相手装置が、前記第１のネットワークにおいて使用している暗号化方式よりも暗号化強度が強い暗号化方式による通信が可能な場合に、前記第２のネットワークを構築することを特徴とする請求項１０記載のネットワーク構築方法。
【請求項１４】
第１のネットワークに参加している際に、相手装置が、前記第１のネットワークにおいて使用している暗号化方式と異なる暗号化方式による通信が可能か否かを判定する判定手段と、
前記判定手段による判定に応じて、前記相手装置と共に第２のネットワークを構築する構築手段とを有することを特徴とする通信装置。
【発明の詳細な説明】
【技術分野】
【０００１】
本発明は、通信装置によるネットワーク構築技術に関するものである。
【背景技術】
【０００２】
従来、デジタルカメラ等の情報蓄積端末装置やプリンタ等の情報出力装置はパーソナルコンピュータの周辺機器として接続され、パーソナルコンピュータを介してデータの授受が行われている。しかしながら、パーソナルコンピュータを使用する環境にないユーザや手軽にデジタルカメラの画像を印刷したいユーザのニーズに合わせて、デジタルカメラとプリンタとを直接ケーブルで接続して印刷する「ダイレクトプリント」方式が提案されている（例えば、特許文献１参照）。
【０００３】
また、近年、IEEE 802.11x準拠の無線ＬＡＮが普及し、コンピュータとネットワークとの接続を、高速性を兼ね備えた無線ネットワーク化することも可能となってきた。
【０００４】
更に、無線ＬＡＮで規定されている暗号化により安全にデータを転送することに注目が集まっている。暗号化方式として、その暗号強度がそれぞれ異なる複数方式が用意されているが、機器によりサポートしている暗号化方式は異なっている。
【０００５】
従来の無線ＬＡＮを用いたダイレクトプリントでは、図１に示すように、無線アクセスポイント（以下ＡＰ）１０１の配下に、無線ステーション（以下ＳＴＡ）として無線ダイレクトプリント対応のデジタルカメラやネットワークプリンタなどが存在し、暗号化方式として、例えばＷＥＰ（Wired Equivalent Privacy）６４を用いてインフラストラクチャモードでの通信が行われている。
【０００６】
この構成において、ＳＴＡであるデジタルカメラ１０２が、同じくＳＴＡであるネットワークプリンタ１０３、１０４に写真データを出力しようとした場合、ネットワーク機器のサーチを行い、ネットワークプリンタを探して、現在の通信に用いている暗号化方式と同じＷＥＰ６４を用いてデータの転送を行うように構成されている。
【特許文献１】特開平１１−２３９３１２号公報
【発明の開示】
【発明が解決しようとする課題】
【０００７】
しかしながら、上記従来の方式では、デジタルカメラとネットワークプリンタとが現在の通信に用いている暗号化方式よりも暗号強度が強い暗号化方式をサポートしている場合も、現在の通信に用いている暗号化方式を用いてデータの転送を行わなければならない、という問題があった。
【０００８】
よって、セキュリティーを強化した通信を行うことができなかった。
【０００９】
本発明は、上記課題を解決するためになされたもので、別ネットワークを構築することで、セキュリティーを強化した通信を行えるようにすることを目的とする。
【課題を解決するための手段】
【００１０】
本発明は、ネットワーク構築方法であって、アクセスポイントと第１のネットワークを構築している際に、前記アクセスポイントの暗号化方式より暗号強度が強い暗号化方式を使用可能な通信装置が存在するか否かを判定する判定工程と、前記暗号強度が強い暗号化方式を使用可能な相手先通信装置が存在すると判定した場合、前記暗号強度が強い暗号化方式を使用して前記相手先通信装置と前記アクセスポイントを介さない第２のネットワークを構築する工程と、前記構築した第２のネットワークによって前記相手先通信装置とデータ通信を行う工程とを有することを特徴とする。
【００１１】
また、本発明は、通信装置であって、中継装置と第１のネットワークを構築している際に、前記中継装置の暗号化方式より暗号強度が強い暗号化方式を使用可能な通信装置が存在するか否かを判定する判定手段と、前記暗号強度が強い暗号化方式を使用可能な相手先通信装置が存在すると判定した場合、前記暗号強度が強い暗号化方式を使用して前記相手先通信装置と前記中継装置を介さない第２のネットワークを構築するネットワーク構築手段と、前記構築した第２のネットワークによって前記相手先通信装置とデータ通信を行うデータ通信手段とを有することを特徴とする。
【００１２】
また、本発明は、ネットワーク構築方法であって、第１のネットワークに参加している際に、相手装置が、前記第１のネットワークにおいて使用している暗号化方式と異なる暗号化方式による通信が可能か否かを判定する判定工程と、前記判定工程による判定に応じて、前記相手装置と共に第２のネットワークを構築する構築工程とを有することを特徴とする。
【００１３】
また、通信装置であって、第１のネットワークに参加している際に、相手装置が、前記第１のネットワークにおいて使用している暗号化方式と異なる暗号化方式による通信が可能か否かを判定する判定手段と、前記判定手段による判定に応じて、前記相手装置と共に第２のネットワークを構築する構築手段とを有することを特徴とする。
【発明の効果】
【００１４】
本発明によれば、別ネットワークを構築することで、セキュリティーを強化した通信を行うことができる。
【発明を実施するための最良の形態】
【００１５】
以下、図面を参照しながら発明を実施するための最良の形態について詳細に説明する。尚、本実施形態では、無線ダイレクトプリント対応のデジタルカメラ（以下カメラ）と、無線ダイレクトプリント対応のプリンタ（以下プリンタ）とで無線ダイレクトプリントを行う場合について説明する。ここで、カメラ及びプリンタは無線ステーションとして動作し、無線アクセスポイントと通信可能とする。また、無線規格はIEEE 802.11b準拠の無線ＬＡＮを用い、通信モードはインフラストラクチャモードとする。
【００１６】
図２は、本実施形態における無線ＬＡＮの構成の一例を示す図である。図２において、２０１は無線アクセスポイント（ＡＰ）であり、暗号化方式としてＷＥＰ６４をサポートしている。２０２はカメラ、２０３、２０４はプリンタであり、無線ステーションとして動作する。
【００１７】
図３は、本実施形態におけるカメラ、プリンタのサポート暗号化方式を示す図である。図３に示すように、カメラ２０２は暗号化方式として暗号強度順に、ＷＥＰ６４、ＷＥＰ１２８、ＴＫＩＰ（Temporal Key Integrity Protocol）、ＡＥＳ（Advanced Encryption Standard）をサポートしている。またプリンタ２０３は、ＷＥＰ６４、ＷＥＰ１２８、ＴＫＩＰ、ＡＥＳをサポートし、プリンタ２０４は、ＷＥＰ６４をサポートしている。
【００１８】
図４は、本実施形態におけるカメラの構成の一例を示す概略ブロック図である。図４に示すように、カメラ２０２は、電波を送受信するアンテナ４０１と、送信すべきデジタル信号を無線で送信するために変調し、変調された送信データを無線送信可能な形式に変換してアンテナ４０１に送ると共に、アンテナ４０１から無線受信した情報より変調されたデータを取り出し、受信した信号を検波してデジタル信号に変換する無線送受信部４０２と、後述するデジタルカメラ処理部で撮像した映像信号や設定情報などを記憶する記憶部４０３と、ＣＣＤによって光学的に撮像した被写体の映像を電気信号に変換して出力する撮像部を含み、撮像部から出力された映像信号に所定の処理を施るデジタルカメラ処理部４０４と、プログラマブルタイマによって各種設定時間を計時する計時部４０５と、後述するプログラムに従ってデジタルカメラ全体を制御するＣＰＵ、そのＣＰＵのプログラムや制御データを格納するＲＯＭ、及びＣＰＵが処理を実行時に使用されるワークエリアや各種テーブルなどが定義されたＲＡＭを含む制御部４０６と、詳細は後述するダイレクトプリント処理部４０７とで構成されている。
【００１９】
尚、プリンタ２０３、２０４の構成は、デジタルカメラ処理部４０４がプリンタ処理部に代わるだけで、他の処理部はカメラ２０２の構成と同様である。
【００２０】
ここで、ダイレクトプリント処理部４０７で行われるペアリング動作について説明する。まず、カメラ２０２とプリンタ２０３、カメラ２０３とプリンタ２０４でそれぞれ無線ダイレクトプリントを行うために必要なペアリング動作を行う。このペアリング動作は、一般的なＵＳＢケーブルを用いてカメラ２０２とプリンタ２０３（又は２０４）とを接続し、ディスカバリプロトコル（Discovery Protocol）により後述する図５に示す各種情報を取得するものとする。
【００２１】
尚、カメラ２０２とプリンタ２０３（２０４）との接続方法はこれだけに限らず、他の接続方法でも良いことは言うまでもない。
【００２２】
まず、ペアリング動作では、プリンタ２０３、２０４の各種情報をカメラ２０２が知るためにカメラ２０２とプリンタ２０３（２０４）を接続して行う。
【００２３】
図５は、本実施形態におけるペアリングの情報要素の一例を示す図である。図５に示す「ADHOCモード時のESSID」５０１は、アドホックモードの時に用いることが可能なネットワーク識別子（ESS-ID）である。「サポート暗号化方式」５０２は、プリンタがサポートしている暗号化方式の一覧である。サポートしている暗号化方式については、以下の情報要素において暗号鍵やパスフレーズを通知する。
【００２４】
「ADHOCモード時のWEP64暗号鍵」５０３、「ADHOCモード時のWEP128暗号鍵」５０４、「ADHOCモード時のTKIPパスフレーズ」５０５及び「ADHOCモード時のAESパスフレーズ」５０６。
【００２５】
また、「ADHOCモード時の使用チャネル」５０７では使用するチャネルを、「使用無線認証タイプ」５０８では使用無線認証タイプを、「MACアドレス」５０９ではプリンタの固有アドレスであるＭＡＣアドレスを通知する。そして、「デバイスタイプ」５１０ではカメラ２０２と接続した機器のタイプが通知され、この場合は“DeviceType:プリンタ”が通知される。
【００２６】
上述のペアリング動作が終了すると、カメラ２０２は、それぞれの機器について上述の情報要素をＭＡＣアドレスにより検索ができるようにテーブル化して記憶部４０３に記憶しておく。
【００２７】
このように、カメラ２０２とプリンタ２０３、カメラ２０２とプリンタ２０４とのペアリングが終了すると、カメラ２０２、プリンタ２０３、２０４は順番にアクセスポイント（ＡＰ）２０１と無線接続を開始する。
【００２８】
図６は、新たなネットワークへの参加開始シーケンスを示す図である。また、図７は、新たなネットワークへの参加終了シーケンスを示す図である。
【００２９】
まず、ＡＰ２０１がネットワーク識別子ESS-IDとして「CANON_NET」を設定し、暗号化方式としてＷＥＰ６４を用いて稼動している。ここで、カメラ２０２がＡＰ２０１と通信するためには、ＡＰ２０１のネットワーク識別子ESS-IDと同じESS-IDとＷＥＰ６４の設定を行う必要があり、その後、無線接続シーケンス６０１を行う。
【００３０】
ここで、カメラ２０２がネットワークに参加すると、ＡＰ２０１はネットワーク（以下ＮＷ）参加通知をマルチキャストで送出するが、この場合、他の機器がネットワーク上に存在しないので図示していない。
【００３１】
次に、カメラ２０２と同様に、プリンタ２０３もＡＰ２０１のネットワーク識別子ESS-IDと同じESS-IDとＷＥＰ６４の設定を行い、その後、無線接続シーケンス６０２を行う。そして、ＮＷ参加通知６０３をマルチキャストで送出する。
【００３２】
ここでカメラ２０２は、ＮＷ参加通知６０４によりネットワークに参加した機器のＩＰアドレス（図８参照）を通知される。プリンタ２０３と同様に、プリンタ２０４も設定を行い、その後、無線接続シーケンス６０５を行う。そして、ＮＷ参加通知６０６をマルチキャストでネットワーク内の機器に対して送出する。カメラ２０２、プリンタ２０３は、ＮＷ参加通知６０７、６０８によりネットワークに参加した機器のＩＰアドレス（図８参照）を通知される。このＮＷ参加通知６０３、６０４、６０６、６０７、６０８は、任意の間隔で繰り返し送信されるので、自分より前にネットワークに参加した機器の情報も得ることができる。ネットワークに暗号化方式のＷＥＰ６４で接続を行った各機器は、ネットワークカメラ又はネットワークプリンタとして動作可能である。
【００３３】
次に、カメラ２０２がダイレクトプリント機能を用いてプリンタ２０３に写真データを出力する方法を説明する。
【００３４】
まず、カメラ２０２が自分の周りにいる各機器を、サーチ要求６０９、６１０、６１１を送信することにより検索する。次に、サーチ要求を送出したカメラ２０２は、一定時間その応答を待つ。この場合、プリンタ２０３とプリンタ２０４はそれぞれダイレクトプリント対応機器なので、サーチ応答６１２、６１４をカメラ２０２に対して送出する。また、サーチ応答６１２、６１４で、送出した機器のＭＡＣアドレス及びＩＰアドレス（図９参照）を伝える。
【００３５】
サーチ応答６１３、６１５を受信したカメラ２０２は、自身の記憶部４０３に保持しているペアリングデータを参照し、現在の通信に利用している暗号化方式とデバイスタイプ５１０でプリンタを返してきた機器のサポート暗号化方式５０２とカメラ自身のサポートする暗号化方式とを比較する。ここで、現在の通信に利用している暗号化方式よりも暗号強度が強い方式をカメラ２０２とプリンタ２０３、２０４でサポートしているのであれば、ADHOCモードで接続するように制御を行う。また、上述した条件を満たさない場合は、インフラストラクチャモードのまま、カメラ２０２は写真データの送信を行い、プリンタ２０３又は２０４が出力を行う。
【００３６】
ここで、暗号化サポートは図３に示すようになっているので、カメラ２０２はプリンタ２０３で暗号化方式ＡＥＳを用いた通信に変更すると判断する。つまり、カメラ２０２は機器情報要求６１６、６１７をユニキャストでプリンタ２０３に送出する。この機器情報要求６１７を受信したプリンタ２０３は、自身のポートのうち、トリガポートとして通知するポートを接続にきている機器がいないか否かを周期的にチェックすることを開始し、トリガポート、モデル名及びシリアルナンバ等の情報（図１０参照）を持つ機器情報応答６１８、６１９をカメラ２０２に対して返す。トリガポートのチェックは、自身の計時部４０５でタイマをスタートさせ、一定時間でタイムアウトになるようにする。
【００３７】
トリガポートの情報を得たカメラ２０２はADHOC移行要求６２０としてプリンタ２０３のＩＰアドレスのトリガポートに対して接続を行う。そして、自身の記憶部４０３にあるADHOC時のESS-ID、ＡＥＳパスフレーズ及びチャネルなどADHOCモード接続に必要な設定を行い、復帰するときのために、今までの設定は記憶部４０３に保持しておく。
【００３８】
プリンタ２０３のトリガポートチェックは、カメラ２０２からのADHOC移行要求６２１を発見すると終了し、ADHOCモード用の設定に設定を変更する。そのとき、復帰するときのために、今までの設定は記憶部に保持しておく。
【００３９】
これにより、カメラ２０２とプリンタ２０３との無線ネットワークは、図２に示す矢印のようにアドホックモードのネットワークが構築されたことになる。
【００４０】
カメラ２０２とプリンタ２０３は、ADHOCモードの無線接続シーケンス６２２を行い、データ通信シーケンス６２３、７０１で写真データの転送を高セキュリティの環境で行うことができる。転送終了後、プリンタ２０３は画像の出力を行う。
【００４１】
また、データ通信終了７０２によってダイレクトプリントを終了後、カメラ２０２及びプリンタ２０３は、自身の記憶部４０３にある元のネットワークの設定に変更して、無線接続シーケンス７０３、７０６を行う。また、カメラ２０２及びプリンタ２０３は、ＮＷ参加通知７０４、７０７も同様に行う。
【００４２】
以上のようにして、カメラ２０２はプリンタ２０３と高セキュリティの環境で接続でき、印刷処理が行える。また印刷処理の終了後は元のネットワークに復帰することも可能である。
【００４３】
この無線ダイレクトプリントは、無線方式として無線ＬＡＮを用いて説明したが、無線ＬＡＮ以外の様々な無線方式に対応が可能であり、また暗号鍵やパスフレーズを機器間で共有する方法についても様々な方法を適用することができる。
【００４４】
尚、本実施形態では、デジタルカメラとネットワークプリンタを用いてダイレクトプリントを行う場合を例に説明したが、デジタルカメラとパーソナルコンピュータ（ＰＣ）のようなデータストレージを用いてデータ転送を行う場合に適用することも可能である。
【００４５】
以上説明したように、実施形態によれば、ネットワーク機器のサーチにおいて、機器がサポートしている暗号化方式の情報を入手でき、現在の通信に用いている暗号化方式よりも暗号強度が強い暗号化方式をサポートしている場合に、ネットワーク構成をアドホックモードに変更し、該当する強い暗号化方式を用いてデータ通信を行うことができるので、ユーザは従来と同じ操作でより安全な暗号化方式を用いてデータを通信することが可能となる。
【００４６】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４７】
また、本発明の目的は、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００４８】
この場合、記録媒体から読出されたプログラムコード自体が前述した実施形態の機能を実現することになり、そのプログラムコードを記憶した記録媒体は本発明を構成することになる。
【００４９】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５０】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５１】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００５２】
【図１】一般的な無線ＬＡＮの構成の一例を示す図である。
【図２】本実施形態における無線ＬＡＮの構成の一例を示す図である。
【図３】本実施形態におけるカメラ、プリンタのサポート暗号化方式を示す図である。
【図４】本実施形態におけるカメラの構成の一例を示す概略ブロック図である。
【図５】本実施形態におけるペアリングの情報要素の一例を示す図である。
【図６】新たなネットワークへの参加開始シーケンスを示す図である。
【図７】新たなネットワークへの参加終了シーケンスを示す図である。
【図８】ネットワークに参加した機器のＩＰアドレスを示す図である。
【図９】機器のＭＡＣアドレス及びＩＰアドレスを示す図である。
【図１０】トリガポート、モデル名及びシリアルナンバ等の情報を示す図である。
【符号の説明】
【００５３】
１０１  アクセスポイント
１０２  無線ダイレクトプリント対応のデジタルカメラ
１０３  無線ダイレクトプリント対応のネットワークプリンタ
１０４  無線ダイレクトプリント対応のネットワークプリンタ
２０１  アクセスポイント
２０２  無線ダイレクトプリント対応のデジタルカメラ
２０３  無線ダイレクトプリント対応のネットワークプリンタ
２０４  無線ダイレクトプリント対応のネットワークプリンタ
４０１  アンテナ
４０２  無線送受信部
４０３  記憶部
４０４  デジタルカメラ処理部
４０５  計時部
４０６  制御部
４０７  ダイレクトプリント処理部
【図１】
2006285090.tif 000003
【図２】
2006285090.tif 000004
【図３】
2006285090.tif 000005
【図４】
2006285090.tif 000006
【図５】
2006285090.tif 000007
【図６】
2006285090.tif 000008
【図７】
2006285090.tif 000009
【図８】
2006285090.tif 000010
【図９】
2006285090.tif 000011
【図１０】
2006285090.tif 000012